(57)【要約】【課題】管理対象者に適した入床時刻を報知することにより、管理対象者の睡眠習慣を改善する睡眠管理システムを提供することである。【解決手段】睡眠管理システム（1）は、体動測定装置（2）と、コントローラ（18）と、報知部（10）とを備えている。コントローラ（18）は、管理対象者である幼児の身体情報を入力する入力部（20a）を有する入眠時刻設定部（20）を備えている。入眠時刻設定部（20）は、入力部（20a）に入力された身体情報に基づいて、幼児に適した入眠予定時刻Ｔ(s)を設定する。報知部（10）は、入眠予定時刻Ｔ(s)に基づいて、幼児に適した入床予定時刻Ｔ(i)を導出し、幼児又は幼児の保護者に、五官の少なくとも一つを刺激する方法により、入床予定時刻Ｔ(i)を報知する。【選択図】図１
2007061285.tif 000002
【特許請求の範囲】
【請求項１】
管理対象者の入眠予定時刻Ｔ(s)を設定する設定手段（20）と、
上記入眠予定時刻Ｔ(s)に基づいて導出された入床予定時刻Ｔ(i)を報知する報知手段（10）とを備えている
ことを特徴とする睡眠管理システム。
【請求項２】
請求項１において、
上記報知手段（10）は、人間の五官の少なくとも一つを刺激するように構成されている
ことを特徴とする睡眠管理システム。
【請求項３】
請求項１において、
上記設定手段（20）は、管理対象者の身体情報を入力するための入力手段（20a）を備え、
上記設定手段（20）は、上記入力手段（20a）に入力された身体情報に基づいて、上記入眠予定時刻Ｔ(s)を設定するように構成されている
ことを特徴とする睡眠管理システム。
【請求項４】
請求項１において、
管理対象者の睡眠状態の良否を判定する判定手段（22）と、
所定数日間における上記判定手段（22）の判定結果に基づいて、上記報知手段（10）の入床予定時刻Ｔ(i)を補正する補正手段（23）を備えている
ことを特徴とする睡眠管理システム。
【請求項５】
請求項４において、
管理対象者から申告された睡眠判定事項を入力する申告手段（26）を備え、
上記判定手段（22）は、上記申告手段（26）に入力された睡眠判定事項に基づいて、上記判定結果を導出するように構成されている
ことを特徴とする睡眠管理システム。
【請求項６】
請求項４において、
管理対象者の就寝時の生理情報を検出する検出手段（2）を備え、
上記判定手段（22）は、上記検出手段（2）が検出した生理情報に基づいて、上記判定結果を導出するように構成されている
ことを特徴とする睡眠管理システム。
【請求項７】
請求項１において、
管理対象者の実際の入床時刻ｔ(i)及び実際の入眠時刻ｔ(s)の少なくとも何れか一方を測定する測定手段（2）と、
上記測定手段（2）により測定された測定時刻と上記入眠予定時刻Ｔ(s)とを比較することにより、管理対象者の睡眠習慣を評価する評価手段（24）とを備えている
ことを特徴とする睡眠管理システム。
【請求項８】
請求項７において、
上記評価手段（24）は、管理対象者の所定数日間における実際の入床時刻ｔ(i)と上記入眠予定時刻Ｔ(s)から導出された入床予定時刻Ｔ(i)との偏差の平均値及び標準偏差に基づいて、上記睡眠習慣を評価するように構成されている
ことを特徴とする睡眠管理システム。
【請求項９】
請求項７において、
上記評価手段（24）は、管理対象者の所定数日間における実際の入眠時刻ｔ(s)と上記入眠予定時刻Ｔ(s)との偏差の平均値及び標準偏差に基づいて、上記睡眠習慣を評価するように構成されている
ことを特徴とする睡眠管理システム。
【請求項１０】
請求項７において、
上記測定手段（2）は、管理対象者の体動を測定する体動測定手段（2）である
ことを特徴とする睡眠管理システム。
【請求項１１】
請求項７において、
上記評価手段（24）の評価結果に基づいて、睡眠習慣改善に向けてのアドバイスを提示するアドバイス提示手段（25）を備えている
ことを特徴とする睡眠管理システム。
【発明の詳細な説明】
【技術分野】
【０００１】
本発明は、睡眠管理システムに関するものである。
【背景技術】
【０００２】
従来から、健康管理手段の一つとして、適当な睡眠を得ることが重視されている。特に、幼児期の子どもにおいては、睡眠が心身の発達に影響を及ぼす可能性が示唆されおり、規則正しい睡眠習慣を身に付けることの重要性が指摘されている（例えば、非特許文献１）。
【０００３】
非特許文献１には、５歳児の睡眠習慣の乱れが日常生活に及ぼす影響が記載されている。具体的には、就眠・起床・夜間睡眠量のバラツキが大きい５歳児は、保育活動の場において、無気力や無表情であったり、集中力や持続力に欠ける反面こだわりが強い場合があったり、理由なき攻撃性があったりするという「気になる子ども」であるという結果が得られている。
【非特許文献１】５歳児の睡眠−覚醒リズムと三角形模写（日本小児保健学会プログラム講演集 Vol.50 p616-617、著者 聖徳大学短期大学部  鈴木みゆき、瀬川小児神経学クリニック  野村芳子、瀬川昌也）
【発明の開示】
【発明が解決しようとする課題】
【０００４】
しかしながら、幼児期の子どもは、自分自身で入床時刻を管理するのが困難であるために、日々の入床時刻が乱れやすく、さらに、入床時刻の乱れが入眠時刻の乱れをひきおこすために、睡眠習慣が不規則となり、適度な睡眠が得られないという問題点があった。
【０００５】
本発明は、かかる点に鑑みてなされたものであり、管理対象者に適した入床時刻を報知することにより、管理対象者の睡眠習慣を改善する睡眠管理システムを提供することを目的とする。
【課題を解決するための手段】
【０００６】
第１の発明は、管理対象者の入眠予定時刻Ｔ(s)を設定する設定手段（20）と、上記入眠予定時刻Ｔ(s)に基づいて導出された入床予定時刻Ｔ(i)を報知する報知手段（10）とを備えていることを特徴とする睡眠管理システムである。
【０００７】
この第１の発明では、上記設定手段（20）が、管理対象者に適した入眠予定時刻Ｔ(s)を設定することにより、上記報知手段（10）が、上記入眠予定時刻Ｔ(s)に基づいて、管理対象者に適した入床予定時刻Ｔ(i)を導出して報知する。これにより、管理対象者は、入床予定時刻Ｔ(i)に入床し、管理対象者の睡眠習慣が改善される。
【０００８】
第２の発明は、第１の発明において、上記報知手段（10）は、人間の五官の少なくとも一つを刺激するように構成されている。
【０００９】
この第２の発明では、上記報知手段（10）は、聴覚を刺激するアラーム、視覚を刺激する照明、触覚を刺激する空気温度の変化や湿度の変化、嗅覚を刺激する匂い成分などにより、管理対象者に入床予定時刻Ｔ(i)を報知する。
【００１０】
第３の発明は、第１の発明において、上記設定手段（20）は、管理対象者の身体情報を入力するための入力手段（20a）を備え、上記設定手段（20）は、上記入力手段（20a）に入力された身体情報に基づいて、上記入眠予定時刻Ｔ(s)を設定するように構成されている。
【００１１】
この第３の発明では、上記設定手段（20）は、上記入力手段（20a）に管理対象者の年齢や午睡の習慣の有無などの身体情報を入力することにより、管理対象者に適した入眠予定時刻Ｔ(s)を設定する。
【００１２】
第４の発明は、第１の発明において、管理対象者の睡眠状態の良否を判定する判定手段（22）と、所定数日間における上記判定手段（22）の判定結果に基づいて、上記報知手段（10）の入床予定時刻Ｔ(i)を補正する補正手段（23）を備えている。
【００１３】
この第４の発明では、上記補正手段（23）が、上記報知手段（10）の入床予定時刻Ｔ(i)を、管理対象者の睡眠状態が改善されるように、管理対象者に最適な入床予定時刻Ｔ(i)に補正する。
【００１４】
第５の発明は、第４の発明において、管理対象者から申告された睡眠判定事項を入力する申告手段（26）を備え、上記判定手段（22）は、上記申告手段（26）に入力された睡眠判定事項に基づいて、上記判定結果を導出するように構成されている。
【００１５】
この第５の発明では、上記申告手段（26）に、管理対象者の起床時間や寝付きの良さ、昼間の眠気の有無などの睡眠判定事項の評価を入力することにより、上記判定手段（22）が、上記睡眠判定事項の評価に基づいて、管理対象者の睡眠状態を判定する。
【００１６】
第６の発明は、第４の発明において、管理対象者の就寝時の生理情報を検出する検出手段（2）を備え、上記判定手段（22）は、上記検出手段（2）が検出した生理情報に基づいて、上記判定結果を導出するように構成されている。
【００１７】
この第６の発明では、上記検出手段（2）が、管理対象者の就寝時の生理情報を自動的に検出することにより、上記判定手段（22）が、上記検出手段（2）により検出された生理情報に基づいて、管理対象者の睡眠状態を判定する。
【００１８】
第７の発明は、第１の発明において、管理対象者の実際の入床時刻ｔ(i)及び実際の入眠時刻ｔ(s)の少なくとも何れか一方を測定する測定手段（2）と、上記測定手段（2）により測定された測定時刻と上記入眠予定時刻Ｔ(s)とを比較することにより、管理対象者の睡眠習慣を評価する評価手段（24）とを備えている。
【００１９】
この第７の発明では、上記評価手段（24）が、管理対象者に上記入眠予定時刻Ｔ(s)により導出された入床予定時刻Ｔ(i)に入床する習慣が身に付いているかどうかの評価と、上記入眠予定時刻Ｔ(s)に入眠する習慣が身に付いているかどうかの評価の少なくとも何れか一方を行う。
【００２０】
第８の発明は、第７の発明において、上記評価手段（24）は、管理対象者の所定数日間における実際の入床時刻ｔ(i)と、上記入眠予定時刻Ｔ(s)から導出された入床予定時刻Ｔ(i)との偏差の平均値及び標準偏差に基づいて、上記睡眠習慣を評価するように構成されている。
【００２１】
この第８の発明では、上記評価手段（24）が、管理対象者の所定数日間における実際の入床時刻ｔ(i)のばらつきと、実際の入床時刻ｔ(i)が、入床予定時刻Ｔ(i)とどの程度差があるかということに基づいて、管理対象者が入床予定時刻Ｔ(i)に入床する習慣が身に付いているかどうかを、より厳密に評価する。
【００２２】
第９の発明は、第７の発明において、上記評価手段（24）は、管理対象者の所定数日間における実際の入眠時刻ｔ(s)と入眠予定時刻Ｔ(s)との偏差の平均値及び標準偏差に基づいて、上記睡眠習慣を評価するように構成されている。
【００２３】
この第９の発明では、上記評価手段（24）が、管理対象者の所定数日間における実際の入眠時刻ｔ(s)のばらつきと、実際の入眠時刻ｔ(s)が入眠予定時刻Ｔ(s)とどの程度差があるかということに基づいて、管理対象者が入眠予定時刻Ｔ(s)に入眠する習慣が身に付いているかどうかを、より厳密に評価する。
【００２４】
第１０の発明は、第７の発明において、上記測定手段（2）は、管理対象者の体動を測定する体動測定手段（2）である。
【００２５】
この第１０の発明では、上記体動測定手段（2）は、管理対象者の就寝時における体動を測定することにより、管理対象者の実際の入床時刻ｔ(i)及び実際の入眠時刻ｔ(s)の少なくとも何れか一方を測定する。
【００２６】
第１１の発明は、第７の発明において、上記評価手段（24）の評価結果に基づいて、睡眠習慣改善に向けてのアドバイスを提示するアドバイス提示手段（25）を備えている。
【００２７】
この第１１の発明では、上記アドバイス提示手段（25）が、管理対象者の睡眠習慣を改善するためのアドバイスを行い、管理対象者の睡眠習慣を改善を図る。
【発明の効果】
【００２８】
本発明によれば、上記設定手段（20）が管理対象者の入眠予定時刻Ｔ(s)を設定し、上記報知手段（10）が上記入眠予定時刻Ｔ(s)に基づいて導出された入床予定時刻Ｔ(i)を管理対象者に報知するようにしたために、管理対象者は、該管理対象者に適した上記入床予定時刻Ｔ(i)を知ることができる。これにより、管理対象者は、上記入床予定時刻Ｔ(i)に入床することができるので、管理対象者の睡眠習慣を改善することができる。
【００２９】
また、上記第２の発明によれば、第１の発明において、上記報知手段（10）は、人間の五官の少なくとも一つを刺激するようにしたために、管理対象者は、確実に入床予定時刻Ｔ(i)を知ることができる。
【００３０】
また、上記第３の発明によれば、第１の発明において、上記設定手段（20）は、管理対象者の身体情報を入力する入力手段（20a）を備え、上記入力手段（20a）に入力された身体情報に基づいて、上記入眠予定時刻Ｔ(s)を設定するようにしたために、上記設定手段（20）は、上記入力手段（20a）に管理対象者の年齢等の身体情報が入力されることにより、管理対象者に適した入眠予定時刻Ｔ(s)を設定することができる。これにより、管理対象者には、該管理対象者に適した入眠予定時刻Ｔ(s)から導出された入床予定時刻Ｔ(i)が報知されるので、管理対象者は、該管理対象者に適した入床予定時刻Ｔ(i)に入床することができる。
【００３１】
また、上記第４の発明によれば、第１の発明において、管理対象者の睡眠状態の良否を判定する判定手段（22）と、所定数日間における上記判定手段（22）の判定結果に基づいて、上記報知手段（10）の入床予定時刻Ｔ(i)を補正する補正手段（23）とを備えているので、該補正手段は、上記入床予定時刻Ｔ(i)を、管理対象者の睡眠状態が改善されるように、管理対象者に最適な入床予定時刻Ｔ(i)に補正することができる。これにより、上記報知手段（10）は、管理対象者に最適な入床予定時刻Ｔ(i)を報知することができるので、管理対象者は、上記最適な入床予定時刻Ｔ(i)に入床することができることから、管理対象者の睡眠状態を改善することができる。
【００３２】
また、上記第５の発明によれば、第４の発明において、管理対象者から申告された睡眠判定事項を入力する申告手段（26）を備え、上記判定手段（22）は、上記申告手段（26）に入力された睡眠判定事項に基づいて、上記判定結果を導出するようにしたために、管理対象者の睡眠状態を測定する装置を設けることなく、管理対象者の睡眠状態の良否を判定することができる。
【００３３】
また、上記第６の発明によれば、第４の発明において、管理対象者の就寝時の生理情報を検出する検出手段（2）を備え、上記判定手段（22）は、上記検出手段（2）が検出した生理情報に基づいて睡眠状態を判定するようにしたために、管理対象者の睡眠状態を自動的に判定することができると共に、睡眠状態が客観的に判定されるので、判定結果の信頼性が向上する。
【００３４】
また、上記第７の発明によれば、第１の発明において、管理対象者の実際の入床時刻ｔ(i)及び実際の入眠時刻ｔ(s)の少なくとも何れか一方を測定する測定手段（2）と、上記測定手段（2）により測定された測定値と上記入眠予定時刻Ｔ(s)とを比較することにより、管理対象者の睡眠習慣を評価する評価手段（24）とを備えているので、該評価手段（24）により、管理対象者が入床予定時刻Ｔ(i)に入床する習慣が身に付いているかどうかという評価と、入眠予定時刻Ｔ(i)に入床する習慣が身に付いているかどうかという評価の何れか一方を行うことができる。これにより、管理対象者は、上記評価部（24）の評価結果に基づいて、睡眠習慣の改善を図ることができる。
【００３５】
また、上記第８の発明によれば、第７の発明において、上記評価手段（24）は、管理対象者の所定数日間における実際の入床時刻ｔ(i)と、上記入眠予定時刻Ｔ(s)から導出された入床予定時刻Ｔ(i)との偏差の平均値及び標準偏差に基づいて、上記睡眠習慣を評価するようにしたために、管理対象者の所定数日間における実際の入床時刻ｔ(i)のばらつきと、実際の入床時刻ｔ(i)が入床予定時刻Ｔ(i)とどの程度差があるかということに基づいて、管理対象者が入床予定時刻Ｔ(i)に入床する習慣が身に付いているかどうかを、より厳密に評価することができる。これにより、管理対象者は、上記評価部（24）の厳密な評価結果に基づいて、睡眠習慣の改善を図ることができる。
【００３６】
また、上記第９の発明によれば、第９の発明は、第７の発明において、上記評価手段（24）は、管理対象者の所定数日間における実際の入眠時刻ｔ(s)と入眠予定時刻Ｔ(s)との偏差の平均値及び標準偏差に基づいて、上記睡眠習慣を評価するようにしたために、管理対象者の所定数日間における実際の入眠時刻ｔ(s)のばらつきと、実際の入眠時刻ｔ(s)が入眠予定時刻Ｔ(s)とどの程度差があるかということに基づいて、管理対象者が入眠予定時刻Ｔ(s)に入眠する習慣が身に付いているかどうかを、より厳密に評価することができる。これにより、管理対象者は、上記評価部（24）の厳密な評価結果に基づいて、睡眠習慣の改善を図ることができる。
【００３７】
また、上記第１０の発明によれば、第７の発明において、上記測定手段（2）は、管理対象者の体動を測定する体動測定手段（2）であるので、上記体動測定手段（2）により、管理対象者の体動を測定して、管理対象者の実際の入床時刻ｔ(i)及び実際の入眠時刻ｔ(s)の少なくとも何れか一方を確実に測定することができる。
【００３８】
また、上記第１１の発明によれば、第７の発明において、上記評価手段（24）の評価結果に基づいて、睡眠習慣改善に向けてのアドバイスを提示するアドバイス提示手段（25）を備えているので、該アドバイス提示手段（25）により、管理対象者に睡眠習慣改善に向けてのアドバイスを行うことにより、管理対象者の睡眠習慣を改善させることができる。
【発明を実施するための最良の形態】
【００３９】
以下、本発明の実施形態を図面に基づいて詳細に説明する。
【００４０】
《発明の実施形態１》
本発明の実施形態１は、幼児を管理対象者とし、幼児又は幼児の保護者に、該幼児に適した入床予定時刻Ｔ(i)を提示することにより、上記幼児の睡眠習慣を改善させる睡眠管理システムである。なお、ここでいう幼児とは、自分自身で入床時刻の管理を行うことが困難な１〜５歳の子どもである。
【００４１】
図１に示すように、上記睡眠管理システム（1）は、体動測定装置（2）と、コントローラ（18）と、報知部（10）とを備えている。
【００４２】
上記体動測定装置（2）は、体動センサ（3）と演算部（7）とを備え、管理対象者である幼児の体動を検出する体動測定手段と、幼児の就寝時の生理情報を検出する検出手段とに兼用されている。
【００４３】
上記感圧部（5）は、寝具内において、幼児の下に敷かれるように布団やマットレスの真上に敷設されている。上記感圧部（5）としては、例えば、一端が閉塞し且つ他端が開口したシリコンチューブなどの可撓性を有する中空体を用いるが、特に限定されない。上記受圧部（6）としては、音響マイクや圧力センサなどが用いられ、上記受圧部の一端は、上記感圧部（5）の中空体の開口部に接続される一方、他端は、リード線（4）を介して上記演算部（7）に接続されている。また、上記受圧部（6）は、上記感圧部（5）に発生する体動に伴う圧力変化を検知して、該圧力変化の信号を上記演算部（7）に出力するように構成されている。
【００４４】
上記演算部（7）は、上記コントローラ（18）内に収容され、上記受圧部（7）の出力に基づいて、幼児の生理情報を導出するように構成されている。幼児の生理情報とは、例えば、幼児の入床時刻ｔ(i)及び入眠時刻ｔ(s)と、該入床時刻ｔ(i)及び入眠時刻ｔ(s)とから算出される入眠潜時（入床してから眠りにつくまでに要した時間）と、中途覚醒（夜中に目覚めた回数、時間）と、離床潜時（朝、布団の中で目覚めてから、布団を出るまでに要した時間）と、熟睡性（熟睡時間）などである。
【００４５】
次に、本発明の特徴であるコントローラ（18）と報知部（10）について説明する。
【００４６】
上記コントローラ（18）は、入眠時刻設定部（20）と、判定部（22）と、補正部（23）と、評価部（24）と、アドバイス提示部（25）とを備えている。
【００４７】
上記入眠時刻設定部（20）は、幼児の身体情報を入力する入力部（20a）を備え、該入力部（20a）に幼児の身体情報が入力されることにより、幼児に適した入眠予定時刻Ｔ(s)が自動的に設定されるように構成されている。幼児の身体情報としては、例えば、年齢や身長、午睡の習慣の有無等の情報が例示される。
【００４８】
上記報知部（10）は、入床時刻設定部（10a）と報知器具（10b）とを備えている。上記入床時刻設定部（10a）は、上記入眠予定時刻Ｔ(s)に基づいて入床予定時刻Ｔ(i)を設定し、上記報知器具（10b）は、該入床予定時刻Ｔ(i)に人間の五官の少なくとも一つを刺激する方法により、幼児又は保護者に入床予定時刻Ｔ(i)を報知するように構成されている。つまり、上記報知器具（10b）は、聴覚を刺激するアラームを発するブザー、視覚を刺激する照明器具、空気温度や湿度の変化により触覚を刺激する空調機、嗅覚を刺激する匂い成分の放出器などに構成されているが、特に限定されない。なお、上記報知部（10）は、図１に示すように、上記コントローラ（18）と別体に構成されていてもよいし、報知部（10）の少なくとも一部がコントローラ（18）内に収納されるように構成されていてもよい。
【００４９】
上記判定部（22）は、上記体動測定装置（2）の演算部（7）によって導出された生理情報に基づいて、幼児の睡眠状態の判定結果を導出する判定手段に構成されている。
【００５０】
上記補正部（23）は、上記判定部（22）により導出された判定結果に基づいて、上記入床予定時刻Ｔ(i)を補正する補正手段に構成されている。
【００５１】
そして、上記評価部（24）は、上記体動測定装置（2）に導出された実際の入床時刻ｔ(i)及び実際の入眠時刻ｔ(s)と、入眠予定時刻Ｔ(s)との比較を行うことにより、幼児の睡眠習慣を評価する評価手段に構成されている。
【００５２】
上記アドバイス提示部（25）は、モニター画面（25a）を備え、上記評価部（24）の評価結果に基づいて、睡眠習慣改善に向けてのアドバイスを提示するアドバイス提示手段に構成されている。
【００５３】
−運転動作−
次に、上記睡眠管理システム（1）の動作を、図１〜図３に基づいて説明する。上記睡眠管理システム（1）では、管理対象者である幼児に最適な入床予定時刻Ｔ(i)の設定と、幼児の睡眠習慣の評価及び睡眠習慣を改善させるためのアドバイスの提示とが行われる。
【００５４】
〈入床予定時刻Ｔ(i)の設定〉
はじめに、管理対象者である幼児に最適な入床予定時刻Ｔ(i)を設定する動作について説明する。
【００５５】
先ず、幼児又は保護者により、上記入眠時刻設定部（20）の入力部（20a）に、幼児の身体情報（例えば、年齢５歳、午睡の習慣無しなど）が入力される。そして、上記入眠時刻設定部（20）は、入力された上記身体情報に基づいて、自動的に幼児に適した入眠予定時刻Ｔ(s)（例えば、２１時２０分）を設定する。
【００５６】
次に、上記報知部（10）の入床時刻設定部（10a）は、図２に示すように、入床予定時刻Ｔ(i)の初期設定時刻Ｔ０(i)を設定する。該初期設定時刻Ｔ０(i)は、上記入眠予定時刻Ｔ(s)の所定時間Δｔ前（例えば２０分前）の｛Ｔ(s)−Δｔ｝（例えば２１時）に設定される。上記所定時間Δｔは予め設定された入眠潜時であり、上記入力部（20a）に入力された幼児の身体情報等に基づいて自動的に設定されてもよいし、幼児や保護者があらかじめ適宜設定してもよい。
【００５７】
次に、上記報知部（10）の報知器具（10b）は、所定数日間（例えば１週間）、入床の初期設定時刻Ｔ０(i)に、アラームを発したり、照明の照度を変えたり、空調機器により湿度や温度を変えたりすることによって、幼児又は保護者に上記入床予定時刻Ｔ(i)を報知する。つまり、上記報知器具（10b）は、五官の少なくとも一つを刺激する方法により、幼児又は保護者に上記入床予定時刻Ｔ(i)を報知する。これにより、幼児は、自主的に、又は保護者の監督によって、上記初期設定時刻Ｔ０(i)に入床する。
【００５８】
幼児が入床すると、上記体動測定装置（2）の体動センサ（3）が、幼児の就寝中の体動を検知して、上記演算部（7）に出力する。そして、該演算部（7）は、入眠潜時、中途覚醒、熟睡性、離床潜時などの生理情報を導出し、上記判定部（22）に出力する。
【００５９】
上記判定部（22）は、図３に示すように、上記演算部（7）によって導出された入眠潜時、中途覚醒、離床潜時、熟睡性の４指標について良否判定を行うことにより、睡眠状態の良否を判定する。具体的に、睡眠状態を良好とする基準としては、入眠潜時が２０分以下であり、中途覚醒がなく、離床潜時が１０分以下であり、熟睡時間が９０分以上とし、上記４指標のうち２指標以上が基準値外である場合は、睡眠状態が不良であると判定する。例えば、上記演算部（7）により、入眠潜時が４０分で、熟睡時間が１時間と導出された場合は、入眠潜時と熟睡性の２指標が基準値外であるので、上記判定部（22）は、睡眠状態が不良であると判定する。なお、上記判定部（22）の判定指標及び判定基準は例示であり、特に限定されない。
【００６０】
上記補正部（23）は、上記判定部（22）の判定結果に基づいて、補正値Ｔ(c)を所定時間単位（例えば３０分単位）で導出し、上記報知部（10）の入床時刻設定部（10a）の入床予定時刻Ｔ(i)を｛Ｔ０(i)＋Ｔ(c)｝と補正する。例えば、入床予定時刻Ｔ(i)の初期設定時刻Ｔ０(i)が２１時である場合、判定結果が良好と判定されれば、補正値Ｔ(c)を０時間とし、入床予定時刻Ｔ(i)はＴ(i)は２１時のままとする。また、上記入眠潜時が４０分で、熟睡時間が１時間という結果であれば、入眠潜時が基準値より２０分長いために、熟睡時間が基準値より３０分短くなっていると考えられることから、補正値Ｔ(c)を−３０分とする。これにより、入床予定時刻Ｔ(i)は、Ｔ０(i)の２１時より３０分早い８時３０分に設定される。このようにして、管理対象者である幼児に最適な入床予定時刻Ｔ(i)＝｛Ｔ０(i)＋Ｔ(c)｝が設定される。なお、補正値Ｔ(c)を導出する際は、上記判定部（22）の判定結果の他に、幼児の身体情報、就寝環境の情報なども判定要素としてもよい。
【００６１】
〈睡眠習慣評価とアドバイスの提示〉
次に、幼児の睡眠習慣の評価及び睡眠習慣を改善させるためのアドバイスの提示について説明する。
【００６２】
上記報知部（10）の報知器具（10b）は、所定数日間において、上述のようにして導出された幼児に最適な入床予定時刻Ｔ(i)＝｛Ｔ０(i)＋Ｔ(c)｝を、幼児又は幼児の保護者に報知する。
【００６３】
一方、上記体動測定装置（2）の体動センサ（3）が、幼児の就寝時における体動を検知することにより、上記演算部（7）が、幼児の実際の入床時刻ｔ(i)と実際の入眠時刻ｔ(s)を導出し、上記評価部（24）に出力する。
【００６４】
上記評価部（24）は、上記所定数日間における入床予定時刻Ｔ(i)と実際の入床時刻ｔ(i)との偏差｛Ｔ(i)−ｔ(i)｝の平均値と標準偏差とを算出することにより、幼児の入床における睡眠習慣を評価する。
【００６５】
具体的には、上記偏差｛Ｔ(i)−ｔ(i)｝の標準偏差が所定時間内（例えば３０分未満）であれば、幼児は、ほぼ毎日同じような時刻に入床する習慣が身に付いていると評価する。さらに、上記偏差｛Ｔ(i)−ｔ(i)｝の平均値の絶対値が所定時間内（例えば３０分未満）であれば、ほぼ上記入床予定時刻Ｔ(i)に入床するという睡眠習慣が身に付いていると評価する。また、上記偏差｛Ｔ(i)−ｔ(i)｝の平均値の絶対値が所定時間以上であれば、幼児は、毎日ほぼ同じ時刻に入床する習慣はあるが、その入床時刻ｔ(i)は、入床予定時刻Ｔ(i)と大きくずれているために、睡眠習慣は良好ではないと評価する。
【００６６】
また、上記偏差｛Ｔ(i)−ｔ(i)｝の標準偏差が所定時間以上であれば、幼児の入床時刻ｔ(i)のばらつきが大きく、幼児の睡眠習慣が不規則であると評価する。
【００６７】
一方、上記評価部（24）は、所定数日間における入眠予定時刻Ｔ(s)と実際の入眠予定時刻Ｔ(s)との偏差｛Ｔ(s)−ｔ(s)｝の平均値と標準偏差とを算出することにより、幼児の入眠における睡眠習慣を評価する。
【００６８】
具体的には、上記偏差｛Ｔ(s)−ｔ(s)｝の標準偏差が所定時間内（例えば３０分未満）であれば、幼児は、ほぼ毎日同じような時間に入眠する習慣が身に付いていると評価する。さらに、上記偏差｛Ｔ(s)−ｔ(s)｝の平均値の絶対値が所定時間内（例えば３０分未満）であれば、ほぼ上記入眠予定時刻Ｔ(s)に入眠するという睡眠習慣が身に付いていると評価する。そして、上記偏差｛Ｔ(s)−ｔ(s)｝の平均値の絶対値が所定時間以上であれば、幼児は、毎日ほぼ同じ時間に入眠するという習慣はあっても、入眠時間ｔ(s)は、入眠予定時刻Ｔ(s)と大きくずれているために、睡眠状態は良好ではないと評価する。
【００６９】
また、上記偏差｛Ｔ(s)−ｔ(s)｝の標準偏差が所定時間以上であれば、幼児の入眠時刻ｔ(s)はばらつきが大きく、幼児の睡眠習慣が不規則であると評価する。
【００７０】
そして、上記アドバイス提示部（25）は、上記評価部（24）の評価結果に基づいて、睡眠習慣改善に向けてのアドバイスを導出し、モニター画面（25a）に、上記アドバイスを提示する。該アドバイスとしては、例えば、幼児が入床予定時刻Ｔ(i)より遅い時刻に入床する習慣があると評価された場合には、「もう少し早く床に入りましょう。」というアドバイスを行う。
【００７１】
なお、アドバイス提示部（25）は、上記評価部（24）の評価結果の他、就寝環境や睡眠深度などの情報もアドバイス決定の要素として、睡眠習慣の改善に向けてのアドバイスを提示するようにしてもよい。
【００７２】
−実施形態１の効果−
本実施形態では、上記入眠時刻設定部（20）が、入力部（20a）に入力された幼児の身体情報に基づいて入眠予定時刻Ｔ(s)を設定し、上記報知部（10）が、該入眠予定時刻Ｔ(s)から導出される入床予定時刻Ｔ(i)を報知するようにしたために、幼児に適した入床予定時刻Ｔ(i)を報知することができるので、幼児は自分自身に適した入床予定時刻Ｔ(i)に入床することができる。
【００７３】
また、上記判定部（22）は、体動測定装置（2）により導出された幼児の就寝時における生理情報に基づいて、幼児の睡眠状態の判定結果を導出し、上記補正部（23）は、上記判定結果に基づいて、入床予定時刻Ｔ(i)を補正すようにしたために、入床予定時刻Ｔ(i)を、幼児に最適な入床予定時刻Ｔ(i)に補正することができる。これにより、上記報知部（10）は、幼児に最適な入床予定時刻Ｔ(i)を報知することができるので、幼児は、該幼児に最適な入床予定時刻Ｔ(i)に入床する習慣を身に付けることができる。
【００７４】
また、上記評価部（24）は、所定数日間における幼児の実際の入床時刻ｔ(i)と入床予定時刻Ｔ(i)との偏差｛Ｔ(i)−ｔ(i)｝の平均値と標準偏差とを算出するようにしたために、幼児の所定数日間における実際の入床時刻ｔ(i)のばらつきと、実際の入床時刻ｔ(i)が入床予定時刻Ｔ(i)とどの程度差があるかということに基づいて、幼児が入床予定時刻Ｔ(i)に入床する習慣が身に付いているかどうかを、厳密に評価することができる。
【００７５】
また、上記評価部（24）は、所定数日間における幼児の実際の入眠時刻ｔ(s)と入眠予定時刻Ｔ(s)との偏差｛Ｔ(s)−ｔ(s)｝の平均値と標準偏差とを算出するようにしたために、幼児の所定数日間における実際の入眠時刻ｔ(s)のばらつきと、実際の入眠時刻ｔ(s)が入眠予定時刻Ｔ(s)とどの程度差があるかということに基づいて、幼児が入眠予定時刻Ｔ(s)に入眠する習慣が身に付いているかどうかを、厳密に評価することができる。
【００７６】
また、上記アドバイス提示部（25）は、モニター画面（25a）に、上記評価部（24）の評価結果に基づいて、睡眠習慣改善に向けてのアドバイスを提示するようにしたので、幼児の睡眠習慣を確実に改善させることができる。
【００７７】
《発明の実施形態２》
本実施形態は、上記実施形態１の判定部（22）が、体動測定装置（2）により検出された幼児の就寝時の生理情報に基づいて、睡眠状態の判定結果を導出したことに代わり、図４に示すように、コントローラ（18）が幼児の睡眠判定事項を入力する申告部（26）を備え、判定部（22）が、上記申告部（26）に入力された睡眠判定事項に基づいて、睡眠状態の判定結果を導出するようにしたものである。
【００７８】
具体的には、上記コントローラ（18）は申告部（26）を備え、幼児又は幼児の保護者が、上記申告部（26）に、幼児の睡眠判定事項の評価を入力する。上記睡眠判定事項は、例えば、図４及び図５に示すように、起床時間と、昼間に眠くなる頻度と、寝付きの良さとの３指標とし、幼児又は保護者により上記３指標の得点評価が入力される。そして、上記判定部（22）は該３指標の得点の平均点を判定基準として判定する。
【００７９】
具体的には、起床予定時刻が７時である場合は、起床時間が７時前であれば３点、７〜８時であれば２点、８時以降であれば１点とする。また、昼間に眠くなる頻度については、眠くならなければ３点、ときどき眠くなるのであれば２点、毎日眠くなるのであれば１点とする。また、寝付きについては、寝付きが良ければ３点、ときどき寝付けないのであれば２点、寝付きが悪いのであれば１点とする。そして、上記３指標の平均点が、基準点以上（例えば２．５点以上）であれば、睡眠状態が良好であると判定し、基準点未満であれば、睡眠状態が良好でないと判定する。例えば、起床時刻が８時以降であって（１点）、寝付きが悪く（１点）、昼間に眠くなることがない（３点）のであれば、平均点は１．７点となり、睡眠状態は、寝付きが悪いために、起床予定時刻に起きられない不良な状態と判定される。なお、上記判定部（22）の判定指標及び判定基準は例示であり、特に限定されない。
【００８０】
上記補正部（23）は、上記判定部（22）の判定結果に基づいて、補正値Ｔ(c)を所定時間単位（例えば３０分単位）で導出し、上記報知部（10）の入床予定時刻Ｔ(i)を｛Ｔ０(i)＋Ｔ(c)｝と補正する。具体的に、上記補正部（23）は、入床予定時刻Ｔ(i)の初期設定時刻Ｔ０(i)が２１時である場合、得点の平均点が２．５点以上であれば、補正値Ｔ(c)を０時間とし、入床予定時刻Ｔ(i)はＴ(i)は２１時のままとする。また、得点の平均点が２点以上２．５点未満であれば、補正値Ｔ(c)を−３０分として入床予定時刻Ｔ(i)を２０時３０分とし、平均点が１．５点以上２点未満であれば補正値Ｔ(i)を−１時間として入床予定時刻Ｔ(i)を２０時と補正し、以下点数に応じて３０分単位で補正を行う。
【００８１】
−実施形態２の効果−
本実施形態では、上記申告部（26）に幼児の睡眠判定事項を入力するようにしたために、幼児の生理情報を検出する装置を設けることなく、上記判定部（22）によって、幼児の睡眠状態の判定を行うことができる。また、判定事項は、就寝中に関する事項に限られず、本実施形態のように昼間の眠気の有無などの評価も行うようにすれば、睡眠習慣の改善と共に、日常生活の改善をも図ることができる。
【００８２】
その他の構成、作用及び効果は実施形態１と同じである。
【００８３】
《その他の実施形態》
上記実施形態については、以下のような構成としてもよい。
【００８４】
上記実施形態１の睡眠管理システム（1）では、管理対象者を１〜５歳の幼児を対象としているが、管理対象者は幼児に限られない。管理対象者は、６歳以上の児童であってもよいし、さらには、自分自身で入床時刻を管理できるような青年や成人であってもよい。青年や成人は、日々の仕事に追われて、入床時刻がつい不規則になることもある。このような場合に、上記報知部（10）が入床予定時刻Ｔ(i)を報知することにより、入床を促すことができるので、青年や成人の睡眠習慣の改善を図ることができる。
【００８５】
また、上記報知部（10）は、入床予定時刻Ｔ(i)を、入床予定時刻Ｔ(i)に報知するのではなく、入床予定時刻Ｔ(i)より早く時刻に報知するようにしてもよい。例えば、入床予定時刻Ｔ(i)の数分前に報知するようにすれば、管理対象者はこの報知によって入床に備えた準備を開始し、確実に入床予定時刻Ｔ(i)に入床することができる。
【００８６】
また、上記実施形態１では、入眠時刻設定部（20）は、入力部（20a）に入力された幼児の身体情報に基づいて、入眠予定時刻Ｔ(s)を設定したが、入眠時刻設定部（20）は、身体情報の入力部（20a）の他に、就寝室の環境（温度、湿度）情報や起床時間など他の情報入力部を備え、入眠時刻設定部（20a）は、これらの情報も入眠予定時刻Ｔ(s)の設定要素としてもよい。
【００８７】
また、上記実施形態１では、体動測定装置（2）を、幼児の就寝時における生理情報を検出する検出手段と、幼児の実際の入床時刻ｔ(i)と実際の入眠時刻ｔ(s)とを測定する測定手段とに兼用し、このように兼用することによりコストの削減を図ることができるが、別個の手段であってもよい。また、検出手段は、体動測定装置（2）以外の装置であってもよい。
【００８８】
また、上記アドバイス提示部（25）は、モニター画面（25b）にアドバイスを提示したが、提示方法は特に限定されず、例えば、音声によって提示されるようにしてもよい。この場合、例えば、幼児の起床時に、アドバイスが提示されるようにしてもよいし、入床予定時刻Ｔ(i)の所定時間（例えば１時間）前などに、所定時間後が入床予定時刻Ｔ(i)であるというアドバイスを音声で提示することによって、入床予定時刻Ｔ(i)に確実に入床できるように促すなどしてもよい。
【００８９】
また、上記アドバイス提示部（25）は、モニター画面（25b）を備え、該モニター画面（25b）にアドバイスを提示したが、第７の発明においては、コントローラ（25）のモニター画面に評価部（24）の評価結果が提示されるようにしてもよく、その場合は、管理対象者又はその保護者が、提示された評価結果に基づいて、睡眠習慣を改善させる方法を検討するようにしてもよい。また、評価結果の提示方法は、モニター画面による提示に限定されない。
【００９０】
なお、以上の実施形態は、本質的に好ましい例示であって、本発明、その適用物、あるいはその用途の範囲を制限することを意図するものではない。
【産業上の利用可能性】
【００９１】
以上説明したように、本発明は、睡眠管理システムについて有用である。
【図面の簡単な説明】
【００９２】
【図１】実施形態１に係る睡眠管理システムの概略構成図である。
【図２】実施形態１に係る睡眠管理システムの入床予定時刻Ｔ(i)の設定方法及びアドバイスの提示方法を示す概略ブロック図である。
【図３】実施形態１に係る睡眠管理システムの判定部の判定基準を示す表である。
【図４】実施形態２に係る睡眠管理システムの判定部による睡眠状態の判定方法を示す概略ブロック図である。
【図５】実施形態２に係る睡眠管理システムの判定部の判定基準を示す表である。
【符号の説明】
【００９３】
1     睡眠管理システム
2     体動測定装置（検出手段、測定手段、体動測定手段）
10    報知部（報知手段）
20    入眠時刻設定部（設定手段）
20a   入力部（入力手段）
22    判定部（判定手段）
23    補正部（補正手段）
24    評価部（評価手段）
25    アドバイス提示部（アドバイス提示手段）
40    申告部（申告手段）
【図１】
2007061285.tif 000003
【図２】
2007061285.tif 000004
【図３】
2007061285.tif 000005
【図４】
2007061285.tif 000006
【図５】
2007061285.tif 000007